(57)【要約】【課題】  光利用効率を向上させたカラー表示素子、カラー表示素子の駆動方法及びカラー表示素子を備えた表示装置を提供する。【解決手段】  緑色のカラーフィルタＧを用いた副画素５２と、電界制御複屈折モード（ＥＣＢモード）などによる赤および青色表示可能な副画素５１とで１画素５０を構成することにより、視感度の高い緑色でなめらかな中間調を表示でき、また視感度の低い赤、青の光利用効率を高くできる。【選択図】      図２ 
2004258616.tif 000002
【特許請求の範囲】
【請求項１】
外部から加えられる変調手段によって光学的性質を変化させる媒体を用いたカラー表示素子であって、
前記媒体は、前記変調手段によって明度を変化させる明度変化範囲と、前記変調手段によって色相を変化させる色相変化範囲とを有すると共に、
該カラー表示素子は、単位画素が、第１の副画素と、カラーフィルタを有する第２の副画素とを含む複数の副画素から構成され、
前記変調手段が、第１の副画素に前記色相変化範囲の変調を与えて該領域の色を表示させ、第２の副画素に前記明度変化範囲の変調を与えて前記カラーフィルタの色を表示させる構成を有することを特徴とするカラー表示素子。
【請求項２】
前記第２の副画素が緑色カラーフィルタを有することを特徴とする請求項１に記載のカラー表示素子。
【請求項３】
前記第１の副画素の変調領域が、有彩色の色相変化範囲であることを特徴とする請求項１に記載のカラー表示素子。
【請求項４】
前記第１の副画素の変調領域が、赤色と青色およびその中間色の色相変化範囲であることを特徴とする請求項３に記載のカラー表示素子。
【請求項５】
前記変調手段が、前記第１の副画素に明度変化範囲の変調を与える構成をさらに有することを特徴とする請求項１に記載のカラー表示素子。
【請求項６】
前記第１の副画素は異なる面積を有している複数のサブピクセルからなり、変調により色が表示されるサブピクセルの面積によって中間調が表示されることを特徴とする請求項１に記載のカラー表示素子。
【請求項７】
前記第２の副画素が少なくとも緑色カラーフィルタを有し，前記第１の副画素が緑色と補色の関係にある色相のカラーフィルタを有することを特徴とする請求項１に記載のカラー表示素子。
【請求項８】
前記変調手段が、前記第１の副画素に明度変化範囲の変調を与える構成をさらに有することを特徴とする請求項７に記載のカラー表示素子。
【請求項９】
前記第２の副画素が複数の副画素からなり、そのうちの１つは緑色カラーフィルタを有し、他は赤色と青色の少なくともいずれか一方の色のカラーフィルタを有することを特徴とする請求項８に記載のカラー表示素子。
【請求項１０】
前記第１の副画素は異なる面積を有している複数のサブピクセルからなり、変調により色が表示されるサブピクセルの面積によって中間調が表示されることを特徴とする請求項９に記載のカラー表示素子。
【請求項１１】
前記赤色と青色の少なくともいずれか一方のカラーフィルタを有する副画素の面積が、前記第１の副画素を構成するサブピクセルのうち最小のサブピクセルの面積と実質的に等しいかそれより小さいことを特徴とする請求項１０記載のカラー表示素子。
【請求項１２】
電圧を印加することによって光学的性質が変化する液晶層を用いたことを特徴とするカラー液晶表示素子であって、
前記カラー表示素子は、少なくとも1枚の偏光板と、電極が形成され対向配置された一対の基板と、該基板間に配置された液晶層とを有し、液晶層のリタデーションによって入射偏光を所望の偏光状態に変調させる機能を有すると共に、
前記カラー表示素子の単位画素は複数の副画素からなっており、
前記複数の副画素は、電圧印加によって液晶層のリタデーションを変化させて有彩色を表示する第１の副画素と、カラーフィルタを有し、電圧によって明度変化範囲でリタデーションを変化させて該カラーフィルタの色を表示する第２の副画素とを含むことを特徴とするカラー液晶表示素子。
【請求項１３】
前記液晶層の液晶分子が電圧無印加時には基板面に略垂直に配向し、電圧印加時には略垂直の配向から傾斜してリタデーションを変化させることを特徴とする請求項１２に記載のカラー液晶表示素子。
【請求項１４】
前記液晶層の液晶分子は電圧印加によって、ベンド配向と略垂直配向との間にて配向状態を変化させることでリタデーションを変化させることを特徴とする請求項１２に記載のカラー液晶表示素子。
【請求項１５】
前記第１の副画素におけるセル厚ｄ１と、前記第２の副画素におけるセル厚ｄ２とが、ｄ１＞ｄ２であることを特徴とする請求項１１に記載のカラー液晶表示素子。
【請求項１６】
前記第１の副画素および第２の副画素が光反射手段を有して反射型表示領域を構成し、前記単位画素が、背面からの光の少なくとも一部を透過する第３の副画素から構成される透過型表示領域をさらに含むことを特徴とする請求項１５に記載のカラー液晶表示素子。
【請求項１７】
前記第３の副画素は赤・緑・青のカラーフィルタがそれぞれ配設された３つの副画素に分割されていることを特徴とする請求項１６に記載のカラー液晶表示素子。
【請求項１８】
前記第３の副画素は、電圧によって無彩色領域でリタデーションを変化させて各カラーフィルタの色を表示することを特徴とする請求項１７記載のカラー表示素子。
【請求項１９】
少なくとも基板上に複数の金属薄膜が配置され、該金属薄膜と基板との媒体としての空気の厚さである空隙距離を変調させることによって干渉色の色調を変化させる機能を有すると共に、前記複数の副画素の少なくとも一つは、空隙距離の変化による干渉色変化に応じた色相変化に基づくカラー表示を行う事ができる第１の副画素と、カラーフィルタ層を有した第２の副画素からなることを特徴とする請求項１に記載のカラー表示素子。
【請求項２０】
媒体である複数の粒子を電圧印加によって移動させると共に、
前記複数の副画素の少なくとも一つは、少なくとも２つ以上の駆動電極と、少なくとも２種類以上の互いに異なる粒子移動特性と呈色を示す粒子を含む第１の副画素と、カラーフィルタ層を有した第２の副画素からなることを特徴とすることを特徴とする請求項１に記載のカラー表示素子。
【請求項２１】
前記第１の副画素が、観察者から見て互いにほぼ重畳する位置に配置される２つの表示電極と、２つのコレクト電極と、互いに異なる粒子移動特性および呈色を示し、少なくとも何れか一方が透光性である２種類の粒子とを備え、該２種類の粒子が全てコレクト電極に集合した状態、又は全て表示電極に配置された状態、又は何れか１方の粒子が表示電極に配置され他方の粒子がコレクト電極に集合した状態、又はこれらの中間状態、を形成可能な駆動手段とを含むことを特徴とする請求項２０記載のカラー表示素子。
【請求項２２】
前記第１の副画素中における２種類の粒子色の組み合わせが、青と赤であることをことを特徴とする請求項２１記載のカラー表示素子。
【請求項２３】
前記第２の副画素に用いる粒子色が黒色であることを特徴とする請求項２１に記載のカラー表示素子。
【請求項２４】
カラー表示素子を用いてカラー表示する方法であって、
前記カラー表示素子は、外部から加えられる変調によって明度を変化させる明度変化範囲と、色相を変化させる色相変化範囲とを有する媒体を用いて構成され、
前記カラー表示素子の単位画素は、第１の副画素とカラーフィルタを有する第２の副画素に分割され、
前記第１の副画素に前記色相変化範囲の変調を与えて有彩色を表示させ、前記第２の副画素に前記明度変化範囲の変調を与えて前記カラーフィルタの色を表示させることによってカラー表示を行うことを特徴とするカラー表示方法。
【請求項２５】
第２の副画素が緑色カラーフィルタを有することを特徴とする請求項２４記載のカラー表示方法。
【請求項２６】
前記第２の副画素が少なくとも緑色カラーフィルタを有し，第１の副画素が緑色と補色の関係にある色のカラーフィルタを有するカラー表示素子を用い、
前記第２の副画素に、前記明度変化範囲の変調を与えて緑色の明度を変化させ，
前記第１の副画素に、前記色相変化範囲の変調を与えて有彩色を表示させるとともに、前記明度変化範囲の変調を与えて前記緑色と補色の関係にある色の明度を変化させる表示を行うことを特徴とする請求項２４記載のカラー表示方法。
【請求項２７】
前記第１の副画素を異なる面積を有する複数のサブピクセルに分割して、一部のサブピクセルに有彩色を表示させ、残りのサブピクセルに明度を変化させる表示を行わせることによって前記緑色と補色の関係にある色の中間調を表示させることを特徴とする請求項２６記載カラー表示方法。
【請求項２８】
前記第２の副画素が複数の副画素に分割され、そのうちの１つに緑色カラーフィルタが配され、他に赤色と青色の少なくともいずれか一方の色のカラーフィルタが配され、
該第２の各々の副画素に前記明度変化範囲の変調を与えて明度変化を生じさせることにより、前記緑色と前記緑色と補色の関係にある色の中間調を連続的に表示させることを特徴とする請求項２７記載のカラー表示方法。
【請求項２９】
前記赤色と青色の少なくともいずれか一方のカラーフィルタを配した副画素の最大明度が、前記第１の副画素を構成するサブピクセルのうち最小のサブピクセルによって表示される明度と略一致するように変調を行うことを特徴とする請求項２８記載のカラー表示方法。
【発明の詳細な説明】
【技術分野】
【０００１】
本発明は、多色表示可能なカラー表示素子、カラー表示方法に関する。
【背景技術】
【０００２】
現在、フラットパネルディスプレイはパソコン用などの各種モニタ、携帯電話用表示素子などに広く普及しており、今後は大画面テレビ用途への展開を図るなど、ますます普及の一途をたどることが予測されている。中でも最も広く普及しているのが液晶ディスプレイであって、これら液晶ディスプレイにおけるカラー表示方式として広く使用されているのが、マイクロカラーフィルタ方式と呼ばれるカラー表示方式である。
【０００３】
マイクロカラーフィルタ方式は、ひとつの画素を少なくとも３つの副画素に分割し、それぞれに３原色の赤（Ｒ）・緑（Ｇ）・青（Ｂ）のカラーフィルタを形成することによってフルカラー表示を行うものであり、高い色再現性能を容易に実現することができるというメリットがある一方，透過率が１／３になってしまうことから、光利用効率が悪くなってしまうという欠点がある。光利用効率の悪さは、バックライトを有する透過型液晶表示装置やフロントライトを有する反射型液晶表示装置においては、バックライトやフロントライトの消費電力が高くなってしまう原因となっている。
【０００４】
最近は表示素子の一部の領域を光反射性領域とし、一部の領域を光透過性領域とするような半透過型液晶表示素子（非特許文献1参照）が、携帯電話や携帯情報端末などに広く使用されるようになってきている。とくに可搬型電子装置は、屋外で使用することが多く非常に明るい外光中でも十分な視認性が確保されることと、暗い室内においても高いコントラストや色再現性が確保されることが要求される。
【０００５】
また、近年電子ペーパーディスプレイとして，液晶表示素子よりも視認性に優れた表示素子がいくつか報告されている。それらの多くは偏光板を用いないことによって明るい表示を実現しようとする。しかしながら、これらの表示素子においても、モノクロでは明るい表示が実現されているものの、カラー表示は液晶表示素子と同様にカラーフィルタを用いるしかなく、カラー表示を紙に匹敵するような明るさで実現することは未だ出来ていないのが現状である。
【０００６】
カラーフィルタを用いないカラー液晶表示装置として、ＥＣＢ型（電界制御複屈折効果型）の液晶表示装置が知られている。ＥＣＢ型液晶表示装置は、一対の基板間に液晶を挟持した液晶セルを挟んで、透過型の場合その表面側と裏面側とにそれぞれ偏光板を配置したものであり、反射型の場合には一方の基板にのみ偏光板を配置した一枚偏光板タイプ、もしくは両方の基板に偏光板を配置し偏光板の外側に反射板を設けた二枚偏光板タイプのものがある。
【０００７】
透過型のＥＣＢ型液晶表示装置の場合、一方の偏光板を透過して入射した直線偏光が、液晶セルを透過する過程で液晶層の複屈折作用により、各波長光がそれぞれ偏光状態の異なる楕円偏光となった光となり、その光が他方の偏光板に入射して、この他方の偏光板を透過した光が、その光を構成する各波長光の光強度の比に応じた色の着色光になる。
【０００８】
ＥＣＢ型液晶表示素子は液晶の複屈折作用と偏光板の偏光作用とを利用して光を着色するものであり、カラーフィルタによる光の吸収がないから、光の透過率を高くして明るいカラー表示を得ることができる。しかも、電圧に応じて液晶層の複屈折性が変化するため、液晶セルへの印加電圧を制御することによって透過光や反射光の色を変化させることができる。これを利用すれば同じ画素で複数の色を表示することもできる。
【０００９】
図１は、ＥＣＢ型表示素子の複屈折量（リタデーションＲと呼ばれる）と色度図上での座標の関係を示す。Ｒが０から２５０ｎｍ附近まではほぼ色度図の中央にあって無彩色であるが，それ以上になると複屈折量に応じて色が変化していく様子がわかる。
【００１０】
液晶として、誘電率異方性（Δεと表す）が負の材料を使用し、電圧無印加時に基板に対して垂直配向させると，電圧とともに液晶分子が傾斜していき，それにつれて液晶の複屈折量（リタデーションと呼ばれる）が増加していく。
【００１１】
このとき，クロスニコル下では図１の曲線に沿って色度が変化する。電圧無印加時にはＲがほぼ０であるから光は透過せず、暗状態（黒状態）となっているが、電圧の増加に応じて、黒→グレー→白と明るさが増していく。さらに電圧を上げると色がついて，黄色→赤→紫→青→黄色→紫→水色→緑といったように色が変化する。
【００１２】
このようにＥＣＢ型表示素子は、低電圧側の変調領域では最大明度と最小明度との間を電圧によって明度変化させることができ、より高い電圧領域で、複数の色相を電圧によって変化させることができる。
【００１３】
図１に示すように、リタデーションで得られる色は、色度図上の外縁にある最大純度の色に比べてかなり純度が低い。これを補う方法としては、特許文献１にあるように、カラーフィルタを併用する。ＥＣＢ表示の色を、同色のカラーフィルタを通すことにより純度を高めることができる。上記特許文献１では、青色表示を行なわない画素に赤色系または黄色系のカラーフィルタを配して、ＥＣＢ効果で得られる赤色の短波長成分をカットし、純度の高い赤色を得る。
【００１４】
以下、色度図上の黒→グレー→白と明るさが変化するリタデーションの範囲（０ないし２５０ｎｍ）を明度変化範囲といい，黄色以上の有彩色変化の範囲（２５０ｎｍ以上）を色相変化範囲という。無彩色と有彩色の境界ははっきりとは決められないので，上記範囲の２５０ｎｍは一応の目安である。
【００１５】
なお、本発明ではリタデーションによって得られる色について言及するが，それは図１の曲線に沿った色である。図１にあるように、純度が極大となる点はリタデーションが４５０ｎｍ、６００ｎｍ、１３００ｎｍ付近にあり、赤色、青色、緑色として視認される。しかし、それらの点の前後におよそ１００ｎｍ幅でほぼ同じ色とみなせる範囲があるので、本発明ではその範囲の色も赤色、青色、緑色という。マゼンタは赤と青の中間５３０ｎｍ付近にある。
【００１６】
通常、液晶表示装置などで用いられるカラーフィルタの色はリタデーションで得られる色よりは純度が高く、色度図上では上記の範囲の外側にある。本発明ではそれらも同名の色で呼ぶことにする。
【００１７】
【非特許文献１】シャープ技報第８３号・２００２年８月  ｐ．２２
【特許文献１】特開平４−０５２６２５
【発明の開示】
【発明が解決しようとする課題】
【００１８】
ＥＣＢ型液晶表示素子はカラー表示可能ではあるものの、緑を表示するためには図１に示した通り１３００ｎｍ前後のリタデーション量が必要となり、通常の液晶材料を用いると、従来の液晶表示素子と比較してかなり大きなセル厚が必要である。
【００１９】
例えば，ＶＡ（Ｖｉｒｔｉｃａｌ  Ａｌｉｇｎｍｅｎｔ）モードとして知られている液晶素子は，電圧無印加状態に垂直配向させ、電圧印加によって最大リタデーション量を２００〜２５０ｎｍ程度にまで変化させるように設定されており、ＥＣＢ効果における黒〜白の明度変化領域が用いられる。これにＲＧＢカラーフィルタを設けることにより加法混色法によってフルカラー表示を得ている。
【００２０】
これと比べると、ＥＣＢ効果すなわちリタデーションによる色度変化を利用してカラー表示する方式では、液晶材料が同じであればセル厚を約６倍に設定する必要がある。すなわち現在のＶＡモードを用いた製品のセル厚が４〜５ミクロンだとすると、ＥＣＢ効果による着色現象を利用したカラー表示モードでは２０〜３０ミクロンのセル厚が必要ということになる。
【００２１】
また、液晶表示素子の一部の領域を光反射性領域とし，他の領域を光透過性領域とする半透過型液晶表示素子がシャープ技報第８３号・２００２年８月  ｐ．２２に開示されているが、それによると透過部と反射部の光利用効率を両方とも最大化するため、透過部のセル厚が反射部のセル厚の２倍になるように反射部に厚い層間絶縁膜を設ける構成となっている。
【００２２】
このような大きなセル厚を採用することは，以下に説明するように著しい不利を伴う。
【００２３】
第１には，セル厚を均一化する目的で一般に球状スペーサーが使われるが，その径が大きくなるために画素に対してスペーサーの占める面積がかなり大きくなってしまい、結果的に開口率が減少する。元来明るい表示を得ようとするためにＥＣＢ効果に基づく着色現象を採用したいのだが、開口率の減少によってその効果が半減してしまうことになる。
【００２４】
大きなセル厚を採用する場合の第２の問題は、応答速度が遅くなることである。一般に応答速度はセル厚の自乗に反比例（応答時間はセル厚の２乗に比例）することが知られている。したがって、セル厚が約６倍の場合には液晶の応答時間が３６倍になってしまうことになる。例えば、商品化されているＶＡモードの液晶ディスプレイの代表的な応答時間が２０ミリ秒程度であることから、上記ＥＣＢモードでは約７２０ミリ秒の応答時間になると予測できる。つまりこれでは動画表示を行うことが出来ない。
【００２５】
さらに、ＥＣＢモードでは複屈折効果を利用した色相変化に基づくカラー表示を行うことは可能であるが、カラー表示時に滑らかな階調色を表示することは困難であった。したがって限られた色数でしか表示することができなかった。
【００２６】
そこで本発明は、従来から広く用いられている、電圧などの外部変調手段によって透過率を変調させることができるモノクロ表示素子とＲＧＢカラーフィルタとを単に組み合わせることで三原色を表示させる方式とは異なる方式を用いることによって光利用効率を向上させたカラー表示素子を提供する。特に、前記ＥＣＢ効果に基づく液晶表示素子においては、セル厚の増加を抑制することで動画表示可能とし、多色表示可能であるようなカラー液晶表示素子を提供する。
【００２７】
また本発明は、光利用効率の高い多色表示可能な反射型モードと透過型モードを両立する半透過型カラー液晶表示素子を提供する。これによって高い色再現性の要求を満たすことが可能となる。
【００２８】
さらに本発明では上記明るいモノクロ表示が実現しうる各種電子ペーパー技術に対しても明るいカラー表示を得ることが可能となる。
【課題を解決するための手段】
【００２９】
本発明は、外部から加えられる変調手段によって光学的性質を変化させる媒体を用いたカラー表示素子であって、前記媒体は、前記変調手段によって明度を変化させる明度変化範囲と、前記変調手段によって色相を変化させる色相変化範囲とを有すると共に、
該カラー表示素子は、単位画素が、第１の副画素と、カラーフィルタを有する第２の副画素とを含む複数の副画素から構成され、前記変調手段が、第１の副画素に前記色相変化範囲の変調を与えて該領域の色を表示させ、第２の副画素に前記明度変化範囲の変調を与えて前記カラーフィルタの色を表示させる構成を有することを特徴とするものである。
【００３０】
また本発明は、電圧を印加することによって光学的性質が変化する液晶層を用いたカラー液晶表示素子であって、前記カラー表示素子は、少なくとも1枚の偏光板と、電極が形成され対向配置された一対の基板と、該基板間に配置された液晶層とを有し、液晶層のリタデーションによって入射偏光を所望の偏光状態に変調させる機能を有すると共に、前記カラー表示素子の単位画素は複数の副画素からなっており、前記複数の副画素は、電圧印加によって液晶層のリタデーションを変化させて有彩色を表示する第１の副画素と、カラーフィルタを有し、電圧によって明度変化範囲でリタデーションを変化させて該カラーフィルタの色を表示する第２の副画素とを含むことを特徴とするものである。
【００３１】
さらに本発明はカラー表示素子を用いてカラー表示する方法であって、前記カラー表示素子は、外部から加えられる変調によって明度を変化させる変調領域と、色相を変化させる変調領域とを有する媒体を用いて構成され、前記カラー表示素子の単位画素は、第１の副画素とカラーフィルタを有する第２の副画素に分割され、前記第１の副画素に前記色相変化範囲の変調を与えて有彩色を表示させ、前記第２の副画素に前記明度変化範囲の変調を与えて前記カラーフィルタの色を表示させることによってカラー表示を行うことを特徴とするものである。
【発明の効果】
【００３２】
本発明によると、明るくかつ視認上フルカラー表示可能もしくは完全なフルカラー表示が可能であり、視野角も広く、かつ動画も問題なく表示可能な表示素子が得られる。中でも特に高反射率の反射型液晶表示素子および半透過型液晶表示素子および高透過率の透過型液晶表示素子が提供される。またこの発明では液晶素子に限らず、様々な表示モードに適用することができ、従来まで広く用いられているＲＧＢカラーフィルタを用いた加法混色法と比較して光利用効率の高い表示素子が実現できる。
【００３３】
また、デジタルコンテンツ閲覧用などの高い色再現性の要求を満たすことが可能となる。さらに明るいモノクロ表示が実現しうる各種電子ペーパー技術に対しても明るいカラー表示を得ることが可能となる。
【発明を実施するための最良の形態】
【００３４】
（基本形態）
本発明は、表示素子としてさまざまな形態に適用できるが、まずその表示原理について、ＥＣＢ効果を有する液晶を一例に挙げて図２を参照して説明する。
【００３５】
本発明の液晶表示素子では図２に示すように、１画素５０を複数の副画素５１，５２（、５３）に分割し、そのうちの１つの副画素５２には緑色のカラーフィルタを重ねる。残る副画素５１（と５３）は、リタデーションを調節して、黒から白に至る無彩色の輝度変化と、赤からマゼンタを経て青にいたるいずれかの色とを表示させる。
【００３６】
すなわち、電圧印加によって液晶層のリタデーションを変化させて有彩色を表示する第１の副画素と、カラーフィルタを有し、電圧によって明度変化範囲でリタデーションを変化させて該カラーフィルタの色を表示する第２の副画素とで単位画素を構成する。視感度の高い緑色を表示させる画素には、ＥＣＢによる着色を利用しないで緑色のカラーフィルタＧを用い、赤と青だけにＥＣＢによる着色現象を利用することが特徴である。
【００３７】
例えば，カラーフィルタのある緑（Ｇ）画素を暗状態とし、透明画素（以下，カラーフィルタのない画素をこう呼ぶ）を白色（無彩色変化領域の最大輝度状態）にすることにより、画素全体として白を表示することが出来る。
【００３８】
あるいは、Ｇ画素を最大透過状態にし，透明画素を有彩色領域のマゼンタ色にしてもよい。マゼンタ色は赤（Ｒ）と青（Ｂ）の両方の色を含むので、合成の結果白表示が得られる。
【００３９】
Ｇ単色にするには、Ｇ画素を最大透過状態にし，透明画素を暗状態にする。Ｒ単色（Ｂ単色）にするには、Ｇ画素を暗状態にし，透明画素のリタデーション値を４５０ｎｍ（６００ｎｍ）にする。組み合わせることでＲとＧ、ＢとＧの混色も得られる。
【００４０】
Ｇ画素と透明画素をともにリタデーションを０にして暗状態とすれば黒表示が得られことはいうまでもない。
【００４１】
本発明の構成では，Ｇ画素はリタデーションを０から２５０ｎｍの範囲で変化させ，透明画素はリタデーションを０から２５０ｎｍの範囲と４５０ｎｍから６００ｎｍの範囲で変化させる。通常は液晶材料は両副画素で共通にするので、駆動電圧範囲を異なるように設定する。
【００４２】
カラーフィルタを緑色に選んだ結果，緑をリタデーションの調節で作ることが回避されてセル厚を大きくする必要がない。また，緑色は視感度が高いので、カラーフィルタによって純度の高い色を作ることにより、画質が向上する。
【００４３】
本発明の特徴は上記のようにＧ画素をカラーフィルタで表示し，その他の色を媒体（上の場合は液晶）自身が発生させる色で表示するもので，液晶以外にも適用できる。すなわち，一般に，外部から加えられる変調手段によって光学的性質を変化させる媒体を用い、その媒体が、変調手段によって明度を変化させる変調領域と、色相を変化させる変調領域とを有するものであれば本発明が適用できる。
【００４４】
具体的な媒体の例は以下で説明するが，そのような媒体を用いて表示素子を構成し，単位画素を、透明な第１の副画素と、カラーフィルタを有する第２の副画素で構成し、第１の副画素に色相が所定の範囲で変化するような変調を与えてその範囲の色を表示させ、第２の副画素に明度変化範囲の変調を与えてカラーフィルタの色の明るさ変化させる。黒，灰色，白の無彩色を表示するには、透明な第１の副画素に明度変化範囲の変調を与えればよい。
【００４５】
本発明により通常用いられる液晶表示素子と比較してセル厚を極端に厚くする必要がなくなる。図１によると、赤はリタデーションが４５０ｎｍであって、青はリタデーションが６００ｎｍである。したがって、６００ｎｍのリタデーションを実現するためのセル厚に設定すればよいことになる。上記例で言うと、セル厚は約１０ミクロンでよいことになる。この程度であれば、応答速度の増加も小さく、約１５０ミリ秒程度となり、若干のボケは存在するものの動画表示が可能となる。
【００４６】
またこれを反射型液晶表示素子に適用した場合には、セル厚が半分となるため応答速度はこの１／４の４０ミリ秒以下となり、動画表示にもほぼ問題ないレベルにすることができる。
【００４７】
また緑の色再現範囲はカラーフィルタによって決まり、かつ視感度がたかいために、白色成分の透過率を犠牲にすることなく高い色再現性を実現することが可能となる。
【００４８】
また緑画素のセル厚ｄ２は、透過型の場合λ／２条件、反射型の場合には、λ／４条件が表示できれば十分であるため、透明画素のセル厚ｄ１よりも薄くすることができ、その結果緑の画素の応答速度を高めることが可能となった。
【００４９】
つまり本発明の素子に関しては、視感度特性の高い緑画素の応答速度が速くなることから、人間の目には高速で表示されるように感じることが出来る。さらに前記例におけるカラーフィルタのない画素では、電圧印加時にＥＣＢによる着色を利用しているため、赤や青の表示は高電圧で駆動されていることになる。このことから、赤や青色画素では高電圧駆動に起因する高速表示、緑画素ではセル厚ｄ２が薄い分だけ応答速度が速くなり、応答速度の色間ばらつきを抑制することも可能となる。
【００５０】
（階調表示）
図２（ａ）の液晶表示素子では、視感度特性の高い緑画素については連続階調表示可能であるが、透明画素部分の有彩色状態つまり青と赤はＥＣＢによる着色を利用しているため階調表示はできない。
【００５１】
図２（ｂ）はこの点を改良するもので，透明画素は複数のサブピクセル５１，５３に分割し、その面積比を変えることによってデジタル的に階調を表現する。
【００５２】
サブピクセルは異なる面積を有しているので、点灯して色が表示されるサブピクセルの面積によっていくつかの段階の中間調が表示される。
【００５３】
このとき前記サブピクセルがＮ個あったとき、その面積比を１：２：・・・：２Ｎ−１となるよう分割することで、リニアリティーの高い階調表示特性を得ることが出来る。図２（ｂ）の例ではＮ＝２としている。
【００５４】
本発明の液晶表示素子では視感度特性の低い赤と青にのみデジタル階調を使用している。緑画素には０から２５０ｎｍの範囲で連続的な変調を与えることにより連続的な階調が表示できる。そのために、人間の目には、階調性が大きく損なわれたようには感じられず、比較的良好なカラー画像を得ることができる。すなわち目の検知しうる階調数が少ない赤と青に限ってデジタル階調を使用することで、限られた階調数でも十分な特性を持たせることが可能となるのも本発明の特徴である。
【００５５】
なお上記のように限られた階調数でも十分な階調性を感じさせるためにも、画素ピッチは細かい方が好ましい。つまり、人間が画素を識別できなくなる解像度という観点で、２００ミクロンピッチ以下にしておくことがより望ましい。
【００５６】
（応用例）
以上述べたように、本発明の液晶表示素子は、赤、青色についてはＥＣＢ効果に基づく着色現象を利用した表示方法をとるので、赤色と青色それぞれのカラーフィルタを使用する場合と比較して光ロスを大幅に減少させることができる。その結果、従来のＲＧＢカラーフィルタのみによって三原色を表示する方式と比べて光利用効率の高い素子が得られることが特長である。よって本発明の液晶表示素子を反射型液晶表示素子として、ペーパーライクディスプレイまたは電子ペーパーに用いることが出来る。
【００５７】
一方、本モードは透過型液晶表示素子としても、液晶層の透過率が高いので、従来方式のものと同一の輝度を得るために必要なバックライト消費電力が少なくて済み、低消費電力化という観点から好適に用いられる。
【００５８】
さらに，高速な液晶応答性があるので，本発明の表示素子は動画表示にも用いることが出来る。従来、テレビ用途の液晶表示素子に関して、鮮明な動画特性を実現するために、１フレーム期間内でバックライトの消灯期間を設ける『擬似インパルス駆動』と称されている駆動方法が特開２００１−２７２９５６号公報などに提案されているが、消灯期間を設ける分だけの輝度低下が生じてしまうのが課題となっている。こうした用途に対しても本モードのように応答速度が速く、かつ透過率の高い表示素子を適用することが出来る。
【００５９】
また高い光利用効率が求められる投射型表示素子にも好適に用いられる。
【００６０】
（変形例）
以上述べた例では、緑色表示に関してはカラーフィルタを用いることによってアナログ階調を実現し、赤・青色についてはＥＣＢ効果に基づく着色現象の利用および画素分割手法に基づく表示方法によって、赤色および青色表示の際にデジタル階調を実現した例を説明した。この例では、赤・青表示に対して限られた階調数でも十分な階調性を感じさせるためにも、高精細表示素子用途において、より好適に用いられる。
【００６１】
一方、前述のような反射型液晶表示素子において、高い反射率でかつより多くの表示色が要求される用途も存在する。また、既にフルカラー表示可能な透過型液晶表示素子において、フルカラー表示能は維持したままバックライトの消費電力を抑制するために高い透過率の表示モードに対する要求もある。この他にも、高い光利用効率を有する液晶プロジェクターなど、フルカラー表示可能であってかつ光利用効率の高い表示モードに対する要求は非常に多く存在する。
【００６２】
このような要求にこたえるため、前記説明した本モードを基本とし、さらに多色化できる手法として
（１）  ＥＣＢ効果による着色現象を赤色・青色以外のリタデーション値においても利用する方法
（２）  緑と補色関係にあるカラーフィルタが配設されている画素の低リタデーション領域の連続階調色を利用する方法
（３）  赤色・青色の少なくともいずれか一方のカラーフィルタが配設された画素を追加する方法
がある。以下で、それぞれの方法について説明する。
【００６３】
（変形例１）
ＥＣＢ効果による着色現象を赤色・青色以外のリタデーション値においても利用する方法
上記説明中ではＥＣＢ効果による着色現象を利用して赤色・青色表示を行う原理について説明した。このＥＣＢ効果による着色現象では図９に示すように白色から青色に至るまで連続的に色調を変化させることができている。つまり、上記説明で述べた赤色・青色表示以外にも使用可能な表示色は多く存在しており、こうした表示色を用いることで上記説明よりも多くの表示色を表現することが可能となる。
【００６４】
具体的には、前記第１の副画素にカラーフィルタが配設されていない構成において上記クロスニコル下での表示色変化に関して説明すると、図９中の矢印で示すように、リタデーション量がゼロから増加するにつれて黒色表示から灰色（中間調）を経て白色表示に至るような無彩色での明度変化が生じ、白色領域を超えたリタデーション量の範囲では、黄色→黄赤→赤→赤紫→紫→青紫→青色、というように様々な有彩色を連続的に変化させることができる。
【００６５】
無彩色領域と緑画素と組み合わせることにより、明るいグリーンディスプレイを構成することも出来る。また、有彩色領域の色と緑画素を組み合わせて中間色を表示してもよい。
【００６６】
またこれらの有彩色は、上記構成によって赤色・青色と同様にデジタル階調を表現することが可能となる。これによって更に多くの表示色を表現することが可能となる。
【００６７】
（変形例２）
緑と補色関係にあるカラーフィルタが配設されている画素の低リタデーション領域の連続階調色を利用する方法
上記基本形態や変形例１のように前記第１の副画素にカラーフィルタを用いない場合には、白色領域を超えたリタデーション量の範囲では、黄色→黄赤→赤→赤紫（マゼンタ）→紫→青紫→青色という色調変化を示す。本変形例は、リタデーション変化で着色するほうの第１の副画素にマゼンタなどの緑色と補色の関係にあるカラーフィルタを配設するものである。これによって赤色および青色の色再現範囲を大幅に広げることが可能となる。
【００６８】
図２（ｃ）と（ｄ）は本変形例の画素構成を示す。Ｇ画素５１には基本形態と同じく緑のカラーフィルタが配設されており、基本形態および変形例１では透明であった第１の副画素（５２、５３）にマゼンタ色のカラーフィルタが配設されている。図２（ｃ）が第１の副画素が１つ（５２）の場合、（ｄ）が第１の副画素を２：１の２つ（５２，５３）に分割した場合である。
【００６９】
第２の副画素（Ｇ画素）５１には、上記基本形態と同じく明度を変化させる変調領域の変調を与えて緑色の明度を変化させ，第１の副画素（５２，５３）には、色相を変化させる変調領域の変調を与えて有彩色を表示させるとともに、前記明度を変化させる変調領域の変調を与えてマゼンタ色の明度を変化させる表示を行う。
【００７０】
図１０に、波長４８０ｎｍ〜５８０ｎｍまでの透過率がゼロであり、それ以外の波長の透過率が１００％となるような理想的なマゼンタカラーフィルタを配設した場合のリタデーションによる色変化の計算値を示す。リタデーション量がゼロから増加するにつれて黒色表示から暗いマゼンタ色（マゼンタ色の中間調）を経て明るいマゼンタ色表示に至るような有彩色での明度変化を示す。その後リタデーション量が更に増加し、前記第１の副画素にカラーフィルタを用いない例での白色領域を超えたリタデーション量の範囲になったときに、マゼンタ→赤→赤紫（マゼンタ）→紫→青色、というような有彩色の連続的変化を示す。
【００７１】
図９と比較してみると，色度変化の範囲が赤と青の純色（色度図の隅）近くにまで広がっており，マゼンタカラーフィルタを配設することによって赤と青の色再現範囲が広がっていることがわかる。また，赤から青への変化が色度図の下辺に沿って動くので，赤から青への連続的な混色の変化が得られることもわかる。このように、マゼンタカラーフィルタを配設することによって赤と青の色再現範囲が広がると同時に、リタデーション変化したときに中間色の連続的変化も得られる。
【００７２】
本実施形態で白色を表示するには、マゼンタ画素５２，５３（本実施形態では、第１の副画素をこう呼ぶ）とＧ画素５１をともに最大透過率を与える同じリタデーション値（２５０ｎｍ）に設定する。あるいは、Ｇ画素５１を最大透過率状態（リタデーション値２５０ｎｍ）にし，マゼンタ画素５２，５３を赤と青の中間のリタデーション値（５５０ｎｍ付近）に設定してもよい。前者の方法の場合、無彩色の明度を変化させるには、両副画素の階調がそろって変化するように、マゼンタ画素のリタデーションを緑色のカラーフィルタ画素のリタデーションに合わせて変化させればよい。
【００７３】
黒表示，Ｇ・Ｒ・Ｂの各単色を表示する場合、それらの混色を表示する場合は、基本形態と同じである。
【００７４】
マゼンタ画素が２つに分割されているときの階調表現は基本形態の図２（ｂ）と同様である。
【００７５】
本変形例のように、マゼンタ色など緑色と補色関係にあるカラーフィルタを用いることによって、無彩色の階調表現ができると同時に、緑の補色の階調表現ができることから、表現できる表示色数を大幅に増加させることができる。
【００７６】
また，マゼンタカラーフィルタは赤色と青色の両方を透過するので，従来の赤と青のカラーフィルタを併設する方式に比べて明るい表示が得られる。
【００７７】
（変形例３）
赤色・青色の少なくともいずれか一方のカラーフィルタが配設された画素を追加する方法
図２（ｅ）は，本変形例の画素構成を示す。本変形例は，変形例２で説明したＧ画素５１と（４：２：１の面積比で３分割されている）マゼンタ画素５２，５３，５４に加えて，青のカラーフィルタをもつ第３の副画素５５と赤のカラーフィルタをもつ第４の副画素５６が付加されている。
【００７８】
Ｇ画素およびマゼンタ画素の表示作用は今までの実施形態と同じで，Ｇ画素は低リタデーション領域で変調されて緑の明るさを連続階調表示する。マゼンタ画素は，同じリタデーション領域で連続変調されるか，もしくはそれより大きい有彩色リタデーション領域で青色または赤色とその中間色を呈する。
【００７９】
第３と第４の副画素５５，５６は、Ｇ画素と同じくリタデーションが０−２５０ｎｍの範囲で変調され，青色と赤色の明るさが連続的に変化する。その役割を以下で説明する。
【００８０】
図１１はＲＧＢ加法混色系において表示できる表示色を表しており、立法体中の任意の点はその座標値に対応した赤・青・緑の混色状態，Ｂｋで示した頂点は明度が最小の状態を示している。ここで赤・緑・青の画像情報信号が与えられたときには、Ｂｋ点から延びるＲ・Ｇ・Ｂ独立ベクトルの和の位置に対応する表示色を表示することとなる。
【００８１】
図中のＲ・Ｇ・Ｂはそれぞれ赤・緑・青の最大明度の状態を示しており、Ｗは最大明度の白色表示状態である。なお一辺の長さは２５５とした。
【００８２】
ここで本発明の表示素子では、緑色に関してはカラーフィルタを用いた連続階調表示することを特徴としているために、緑方向には独立に任意の点を取ることができる。したがって、これ以降で表示色を議論するときには、赤・青ベクトルで構成される平面（以下ＲＢ平面と記載）上にて議論する。
【００８３】
まず、ＥＣＢ効果に基づく着色現象を利用する画素が一つの場合（画素分割していない場合）について図１２を用いて説明する。図１２はＲＢ平面を表している。ここで、赤表示および青表示時はＥＣＢ効果に基づく着色現象を利用しており、明暗の表示状態として取り得るのはオンとオフの２値となる。したがって、Ｒ、Ｂそれぞれの軸上で取り得るのは最大値（Ｒ，Ｂ）と最小値（Ｂｋ）の２点である。
【００８４】
一方、（変形例２）で述べた構成、すなわち緑色と補色の関係にあるマゼンタカラーフィルタが設けられている場合は、マゼンタ画素のリタデーションを０−２５０ｎｍの範囲で変化させることによりマゼンタ色の明るさを変化させることが出来る。この範囲の表示色はＲＢ平面上では図１２中で矢印で示したＲとＢの合成ベクトル方向の軸上にあり、連続的な明度変化を示すことに対応している。つまり（変形例２）では、図１２の中ではＢｋ点（原点）、Ｒ点、Ｂ点、および矢印上の任意の点が表示色として使用できることになる。
【００８５】
次いで、ＥＣＢ効果に基づく着色現象を利用する画素を１：２の比率で画素分割している場合について図１３に記載のＲＢ平面を用いて説明する。ここでも画素分割しない場合と同様に、赤表示および青表示時はＥＣＢ効果に基づく着色現象を利用しているため、画素分割した各画素単独では明暗の表示状態として取り得るのはオンとオフの２値となる。一方、１：２の割合で二つの画素に分割しているために、Ｒ、Ｂそれぞれの軸上で取り得るのは図中の丸印で示した４点をとることができる。
【００８６】
ここで、図中のＲ３およびＢ３で示した点は、それぞれ二つの画素ともに赤表示もしくは青表示の状態である。
【００８７】
Ｒ１およびＢ１で示した点は、画素分割したうちで小さい方の画素が赤表示もしくは青表示状態となっており、残りの大きい方の画素は黒表示状態である。ここで、大きい方の画素はマゼンタの連続階調色が取りうるので、Ｒ１およびＢ１それぞれの点からＲＢ合成ベクトル方向に延びる矢印上の任意の点を取ることができる。同様の議論により、Ｒ２およびＢ２それぞれの点からＲＢ合成ベクトル方向に延びる矢印上の任意の点を取ることができる。
【００８８】
すなわち、マゼンタカラーフィルタのある第１の副画素を、異なる面積を有する２つのサブピクセルに分割して、一方のサブピクセルに赤，または青の有彩色を表示させ、もう一方のサブピクセルに明度を変化させる表示を行わせることによってマゼンタ色のデジタル中間調を表示する。緑画素は明度を連続的に変化させることができるので，この方法によりカラー表示ができる。
【００８９】
同様の議論によって、ＥＣＢ効果に基づく着色現象を利用する画素を１：２：４の比率で画素分割している場合に、取り得る表示色を図１４中の矢印にて記載した。
【００９０】
一般に，第１の副画素（ＥＣＢ効果に基づく着色現象を利用する副画素）にマゼンタカラーフィルタを配置し，それを異なる面積を有する複数のサブピクセルに分割して、一部のサブピクセルにＥＣＢ効果による赤，または青を表示させ、残りのサブピクセルに明度を変化させる表示を行わせることによってマゼンタ色のデジタル中間調を表示することができる。
【００９１】
このように画素分割数を増やせば増やすほどＲＢ平面上での取り得る表示色は増えていく。しかしこの手法はあくまでもデジタル階調であり、アナログフルカラー表示ではない。そこで、アナログ階調を得るためには赤色と青色のカラーフィルタを有する画素（図２(ｅ)の５５，５６）を追加する。これらの画素は，それぞれ青と赤の連続的な明るさ変化を作るので、図１３，１４の上では，Ｂ軸方向とＲ軸方向の大きさ可変のベクトルで表される。これによって、赤色、青色の連続階調を表示することが出来るために、図１３や図１４において矢印上以外の部分を補完することが可能となり、ＲＢ平面上の全ての点を表現することが可能となる。
【００９２】
すなわち，第２の副画素（明度変調のみの副画素）を複数の副画素に分割し、そのうちの１つに緑色カラーフィルタ、他に赤色と青色のカラーフィルタを配設する。この第２の各々の副画素に明度が変化する領域の変調を与えて明度変化を生じさせることにより、上で説明したマゼンタのデジタル中間調表示に連続階調が付加されて，ＲＢ平面の任意の中間調が表示でき，これに緑色の連続階調を組み合わせることにより，フルカラーが表示できる。
【００９３】
第２の副画素のうちの赤色と青色のカラーフィルタを配設した画素は，第１の副画素によって表示されるマゼンタ色のデジタル階調の隙間を埋めるのであるから，最大明度が、前記第１の副画素を構成するサブピクセルのうち最小のサブピクセルによって表示される明度と略一致するように変調を行えばよい。
【００９４】
このとき追加する赤、青それぞれのカラーフィルタを有する画素５５，５６の大きさは、前記画素分割した副画素５２，５３，５４のうち最小面積の副画素５４と同等の面積を持てば十分である。つまり例えば図１４において、丸印で示したＢｋ点からＲ７およびＢ７までの表示可能な点は等間隔で並んでいる。その丸印からＲＢ合成ベクトル方向に延びる矢印上の任意の点をとることが出来ている。そのような色を表示可能な構成に対して、画素分割した副画素のうち最小面積の副画素と同等の面積を持つ赤色と青色のカラーフィルタを有する画素５５，５６を追加することによって、図１５中のＲ−ＣＦおよびＢ−ＣＦとして示した矢印上の任意の点を加法混色することができる。これによって、ＲＢ平面上の全ての点を表現することが可能となることから、完全なアナログフルカラー表示が出来ることになる。
【００９５】
また、上記のとおり、追加する赤、青それぞれのカラーフィルタを有する画素の大きさは、前記画素分割した副画素のうち最小面積の副画素と同等の面積を持てば十分であるために、画素分割数を増やせば増やすほど、赤・青カラーフィルタを使用することによる光利用効率の減少の影響を減らすことが可能となる。つまり、ＥＣＢ効果に基づく着色現象を利用した画素の分割数が多いほど高い光利用効率を実現することが可能となる。
【００９６】
なお、このとき必ずしも赤色と青色両方のカラーフィルタを追加しないでも有効な効果を得ることが可能である。図２（ｆ）はその例で，赤色のカラーフィルタを持つ画素５６だけがある。図１６に、赤色のカラーフィルタのみを追加したときの表示可能な色範囲をハッチングした領域として示した。この図では、赤色方向は全ての色が表現可能だが、青色方向は表現できない表示色が存在する図となっている。しかし、人間の視感度特性は青色が最も鈍感であり、必要な階調数は最も少なくても良いと考えられている。したがって、このように赤色のみを追加することによってフルカラーに相当するような表示色を得ることができる。
【００９７】
また図１６で示した構成と全く同じ構成ではあるが、基準となるＢｋの点を図１５におけるＲ１位置にずらすことによって、全ての表示色を表現することが可能となる。なおこのとき、黒表示状態が若干赤みがかった表示色となるが、例えば反射型表示素子など透過型表示素子と比較してコントラストがさほどシビアに要求されない用途ではこのような手法も使用可能である。
【００９８】
以上述べた手法によって、高い光利用効率を維持したまま、フルカラーもしくはそれに相当するような表示色を表現することが可能となる。
【００９９】
（適用できる液晶表示モード）
本発明は以下に述べるいろいろな液晶表示モードに適用できる。
【０１００】
上で述べたＶＡモードは，液晶層の液晶分子が電圧無印加時には基板面に略垂直に配向し、電圧印加時には略垂直の配向から傾斜してリタデーションを変化させる。
【０１０１】
ＯＣＢ（Ｏｐｉｃａｌｌｙ  Ｃｏｍｐｅｎｓａｔｅｄ  Ｂｅｎｄ）モードは、液晶層の液晶分子が電圧印加によってベンド配向と略垂直配向との間にて配向状態を変化させることでリタデーションを変化させるので、本発明を適用できることはＶＡモードと同様である。
【０１０２】
本発明ではリタデーション変化による表示色を利用するために、視野角による色調変化を考慮しなければならない。しかし昨今のＬＣＤ開発の進歩は著しく、ＲＧＢカラーフィルタ方式を用いたカラー液晶ディスプレイでは視野角依存性の問題はほとんど解決しているといっても過言ではない。例えばＯＣＢモードではベンド配向による自己補償効果によって、視野角の変化に伴うリタデーション変化を抑制することが報告されている。
【０１０３】
また、ＳＴＮモードも位相差フィルム開発の進展によって視野角特性は大きく改善されている。これらＯＣＢやＳＴＮモードもリタデーション量を適宜設定することによってＥＣＢ効果に基づく着色現象を得ることができるため、本発明の構成を適用することが可能である。特にＯＣＢモードでは、先に述べた応答速度に関して大幅に改善することが出来るために、高速性が必要となる用途では好適に用いられる。
【０１０４】
一方、ＭＶＡ（Ｍｕｌｔｉｄｏｍａｉｎ  Ｖｉｒｔｉｃａｌ  Ａｌｉｇｎｍｅｎｔ）モードは非常に良好な視野角特性を示すモードとして既に商品化され、広く使用されている。その他、ＰＶＡ（Ｐａｔｔｅｒｎｅｄ  Ｖｉｒｔｉｃａｌ  Ａｌｉｇｎｍｅｎｔ）モードと称されるモードも広く使用されている。
【０１０５】
これらの垂直配向モードは、表面に凹凸をつけたり（ＭＶＡ）、電極形状を工夫したり（ＰＶＡ）して電圧印加時の液晶分子傾斜方向を制御することで、広い視野角特性を実現している。そして、これらは電圧によってリタデーション量を変化させるモードであるために、本発明の構成を適用することが可能である。こうすることで高い透過率（もしくは反射率）、広い視野角、広い色空間を同時に満足する液晶表示素子を実現することが可能となる。
【０１０６】
なお、図３は本発明で用いる反射型液晶素子の構成を示すものであり、この反射型液晶素子は同図に示すように偏光板１、位相補償板２、ガラス基板３、透明電極４、液晶層５、透明電極６、反射板を表面に備えたガラス基板７を備えている。このときの明暗の表示が出来る原理について簡単に述べる。
【０１０７】
簡単のため用いる波長は５５０ｎｍ（単波長）のみとする。位相補償板２は一軸であり、そのリタデーション量は１３７．５ｎｍとし、遅相軸が（偏光板１の偏光軸８から見て）時計回りに４５度になるように配置されている。
【０１０８】
液晶層５は電圧無印加時に垂直配向であり、電圧印加により分子が傾斜する、いわゆるＶＡモードであるとして説明を行う。液晶分子の傾斜方向は、位相補償板２の光軸と平行，すなわち偏光板１に対して（偏光板側の偏光軸８から見て）時計回りに４５度とする。このときの様子を図４（ａ）に示す。なお、同図において、９は位相補償板２の光軸である。
【０１０９】
偏光板１を通過した外光は、位相補償板の光軸９方向の偏光成分と，それに垂直な偏光成分に分けられる。それぞれに成分は，位相補償板２と液晶層５を往復２回ずつ通過し，その結果両者に位相差が生じる。その値は，位相補償板のリタデーションと液晶層のリタデーションの和で与えられ，再び偏光板を通過して外に出てくる。
【０１１０】
液晶層５に電圧が印加されていない場合には、垂直配向であるが故に、液晶層５のリタデーション値はゼロである。したがって、上記構成における反射率Ｔ％は以下の式で表される。
【０１１１】
Ｔ％＝ｃｏｓ２（π×２×１３７．５／５５０）
＝０        ・・・（式１）
【０１１２】
これにより、電圧無印加時の反射率はゼロ、すなわちいわゆるノーマリブラック構成ということになる。
【０１１３】
次いで、電圧印加時について考える。
【０１１４】
このとき電圧印加によって液晶分子は位相補償板２と平行な方向に傾斜する。したがって、液晶分子の傾斜によって液晶層５に発生するリタデーション量をＲ（Ｖ）とすると、電圧印加時の反射率Ｔ％（Ｖ）は以下の式で表される。
【０１１５】
Ｔ％（Ｖ）＝ｃｏｓ２（π×２×（１３７．５＋Ｒ（Ｖ））／５５０）
・・・（式２）
【０１１６】
これにより電圧に応じた所望の反射率が得られることになる。
以上の説明では，液晶分子は位相補償板の光軸方向と平行に傾斜するとしたが，位相補償板を通過した光は円偏光となるので，液晶の分子の傾斜方向はそれに限らず任意の方向でよい。
【０１１７】
また上記と同様の電圧無印加時に垂直配向状態をとる配向モードとしてＣＰＡ（Ｃｏｎｔｉｎｕｏｕｓ  Ｐｉｎｗｈｅｅｌ  Ａｌｉｇｎｍｅｎｔ）モードが提案されている。（シャープ技報：第８０号・２００１年８月  ｐ．１１参照）
【０１１８】
このモードも上記ＰＶＡ方式と同様に、電極形状を工夫することによって電圧印加時の液晶分子の傾斜方向を制御する方式である。この方式では電圧印加時にはサブピクセル中心部から放射状に液晶分子が傾斜する配向状態となることで広視野角化を実現している。そして、このＣＰＡモードについても電圧によってリタデーション量を変化させるモードであるために、本発明の構成を適用することが可能である。
【０１１９】
なお、ＣＰＡモードにおいて、液晶の透過率を高めるためにカイラル材を添加した液晶材料を用いたリバースＴＮ方式を用いることによって、複屈折性と旋光性を併用することが出来るために光利用効率が高くなる（上記文献参照）。このカイラル材添加についても、本発明の構成にて適用することが可能である。
【０１２０】
ただし、本発明の構成において、反射型液晶であってかつ円偏光板を使用する場合にはＣＰＡモードにおいてカイラル材を添加しなくとも良好な反射率を得ることが可能である。これについて以下に説明する。
【０１２１】
（１）円偏光板、（２）液晶層、（３）反射板という３つの層が積層された構成を考える。まず液晶層に複屈折がない場合、例えば液晶層が垂直配向状態になっている場合には、外部からの入射光はまず（１）の円偏光板を通過し、偏光状態に変調を受けないまま反射し、その反射光は再び円偏光板を通過して外界に向かって光は進行する。
【０１２２】
ここで、光は円偏光板を２回通過することになるために、特に円偏光条件を満たす波長領域では光が外界に出てくることは無い。つまり電圧無印加状態において垂直配向であるＣＰＡモードは上記構成においてノーマリブラック構成である。ここで、電圧を印加した場合には放射状に液晶分子が傾斜することから、方位角方向に対して全ての方向に傾斜することになる。前記文献のように透過型であって液晶層に直線偏光が入射される場合には、液晶の分子軸方向と偏光板の偏光方向とが一致するときに光利用効率の低下につながるが、液晶層に対して円偏光が入射されるような構成の場合には、液晶が傾斜する分子軸方向によらずに等しく偏光が変調される。
【０１２３】
以上の原理によって、本発明の構成において円偏光板を用いた反射型表示モードであってＣＰＡモードを適用する場合には、上記文献に記載のようにカイラル材を添加してもよいし、必ずしもカイラル材を添加しなくてもよい。
（半透過型液晶表示素子への適用）
【０１２４】
ところで、上記従来の技術の中で説明したが、半透過型液晶表示素子に使用される断面構成は透過部と反射部の光利用効率を両方とも最大化するために、透過部のセル厚を反射部のセル厚の２倍になるように層間絶縁膜を設ける構成となっており、これは公知となっている。
【０１２５】
本発明の表示素子においても上記公知の構成を採用することは可能である。
【０１２６】
しかし一方、本発明の表示素子において上記構成を実現しようとした場合、複屈折による着色を利用した表示原理に基づいているために、ツイステッドネマティック（ＴＮ）がた液晶素子など，それを用いない液晶表示素子よりも厚いセル厚が必要となる。つまり前記層間絶縁膜の厚みが通常の半透過型液晶表示素子と比べて大きい構成が必要とされる。
【０１２７】
さらに半透過型液晶表示素子の利用状況を考えると、上記の通り、非常に明るい外光中でも十分な視認性をもって表示されることと、室内や暗所などにおいて高いコントラストや色再現性を実現し、フルカラーデジタルコンテンツを忠実に再現することが要求される。
【０１２８】
この中で、非常に明るい外光中でも十分な視認性をもって表示されることに関しては、本提案の複屈折による着色を利用した表示原理に基づく表示方法を反射型モードとして使用することによって可能である。
【０１２９】
一方、本提案における基本的な構成として説明した方法では青や赤など緑以外の表示色は、ＥＣＢ効果に基づく着色現象を利用した表示方法および画素の面積分割によるデジタル階調を採用しているが、こうしたデジタル階調は極めて高精細な表示素子においては人間の視認限以上となるため、完全なフルカラー表示に相当するが、精細度が必ずしも十分でない場合には階調表示能が若干不足して感じることがある。
【０１３０】
したがって透過型モードにてフルカラーデジタルコンテンツを忠実に再現するためには、より高い階調表示能を有することが必要と考えられる。
【０１３１】
そこで本発明では透過モードではＲＧＢのカラーフィルタを用い、液晶層は黒から白にかけて連続的に透過率を変化させるという、一般に用いられているマイクロカラーフィルタ方式を採用する。つまり反射モードはＥＣＢ効果による着色を利用したモードによる赤および青表示とカラーフィルタによる緑表示、透過モードは赤・緑・青ともにカラーフィルタによるカラー表示とする。ことで、上記２つの半透過型液晶に要求される項目を両立することが可能となる。
【０１３２】
このような反射と透過で異なる表示モードによる素子構成を採用することによって、単なる組み合わせではない有効な効果が発現する。
【０１３３】
前記のとおり、現行の半透過型液晶表示素子では反射領域と透過領域で同じ原理に基づく表示方法を採用しているために、それぞれが最適な光利用効率を示すためには、反射領域と透過領域とで２倍のセル厚差を付与しなければならない。
【０１３４】
そのために上述のように層間絶縁膜形成プロセスが必要となっている。
【０１３５】
一方、本提案のように反射と透過で異なる表示モード、特に反射モードにＥＣＢ効果による着色を利用したモード、透過モードにはＥＣＢ効果による着色を利用しないモードを採用した半透過型液晶表示素子の場合、ＥＣＢ効果による着色を利用したモードにおいて、本発明では青表示までをＥＣＢ効果で表現できれば良い。よって黒から青表示までを反射モードにおいて実現するためには、液晶層（あるいは液晶層と位相補償板の組み合わせ）によるリタデーション量が、電圧による制御により０ｎｍから３００ｎｍの範囲で変化させることができればよい。
【０１３６】
一方、透過モードにおいて黒から白表示までをＥＣＢ効果で実現するためには、液晶層（あるいは液晶層と位相補償板の組み合わせ）によるリタデーション量が電圧による制御により０ｎｍから２５０ｎｍ程度の範囲で変化させることができればよい。
【０１３７】
つまり、反射領域において必要とされるセル厚と透過領域において必要とされるセル厚とが非常に近いことになる。したがって、現行の構成と比較すると前記層間絶縁膜の厚みを大幅に減少させることが可能となる。これによって、セル厚差を付けた結果発生しがちな配向欠陥や、段差部のテーパーに起因する開口率の減少を抑制することが可能となる。
【０１３８】
あるいは液晶層厚を３００ｎｍまでの制御が可能な条件で一定にしておき、透過モードにおける電圧による制御範囲を０ｎｍから２５０ｎｍに限定するようにすれば、前記層間絶縁膜を形成しなくても良いことになる。これによりフォトリソグラフィープロセスの簡略化が実現でき、コストダウンに寄与できる。また均一配向実現が容易となり、かつ開口率の向上にも寄与することができる。
【０１３９】
なお本発明の半透過型液晶表示素子では同一電圧印加条件にて反射モードと透過モードで表示させた場合に、それぞれの表示色が異なってしまう可能性がある。この場合、反射領域と透過領域とで独立に印加電圧が制御できるような画素構成にしておくことがより好ましい。
【０１４０】
以上の議論をまとめ、本発明の半透過型液晶表示素子として好ましい構成を例示したものを図６に示す。
【０１４１】
図６に示した６１，６２，６３はＩＴＯによる透明電極である。この透明電極６１，６２，６３を通過する光の光路上にはそれぞれ青・緑・赤のカラーフィルタが形成されている。６４，６５，６６はアルミなどによる反射電極である。６５の反射電極で反射する光の光路上には緑のカラーフィルタが形成されている。
【０１４２】
このカラーフィルタは光利用効率を高めるために、色再現範囲の狭い反射型タイプのものを用いることもできるし、あるいは６２に用いる透過型用カラーフィルタを反射電極の一部だけに形成させることもできる。６４、６６の反射電極上にはカラーフィルタを形成しない構成にすることもできるし、マゼンタ色などの緑色と補色関係にある色のカラーフィルタを形成させることで、ＥＣＢ効果による着色を利用した表示カラーの色純度を高めることができる。
【０１４３】
また透明電極６１，６２，６３は同一の面積比であることが好ましく、反射電極６４，６６の面積比は１：２にしておくことが好ましい。なお、カラーフィルタ透過率のバランスを考慮してこれらの面積比を微調整させることがより好ましい。反射電極６４，６６により構成される第１の副画素と、反射電極６５により構成される第２の副画素の面積比は、第２の副画素に用いるカラーフィルタの波長分光透過特性に応じて、最適なカラーバランスとなるように適宜調整しておくことが好ましい。
【０１４４】
また、ＥＣＢ効果による着色を利用する第１の副画素を面積分割する際には、階調ごとの色重心がずれないような画素形状と画素配置法を考慮しておくとより好ましい（図示せず）。
【０１４５】
また透明電極６１，６２，６３と、反射電極６４，６５，６６という透過画素と反射画素のそれぞれに対して、一般的な半透過型液晶表示素子では同一の電圧を印加する場合が多いが、本発明の素子の場合では、表示するための条件が反射モードと透過モードで異なっているために、これら６つの画素は独立に電圧制御できる構成にしておくことが好ましい。
【０１４６】
また図７に示すように、反射モードでのＥＣＢ効果による着色を利用したカラー表示における階調数を増加させるために、より小さい反射サブピクセルを追加しても良い。なお、図７において、７１〜７６は図６における６１〜６６に対応するものであり、７７、７８は追加したサブピクセルである。ここで、サブピクセル７７，７８を追加する場合には、光反射性領域の面積が各サブピクセル間で１：２：４：８：・・・：２Ｎ−１となるようにしておくことが好ましい。またその形状は、図７に示すものに限定されず、種々の電極形状を選ぶことができる。
【０１４７】
このとき光透過性領域における液晶層は、ＲＧＢ各色でアナログ階調能を有しているので、図６の構成から画素数を増やす必要はない。
【０１４８】
また、ここで述べた半透過型液晶表示素子に対して、前記多色化できる手法で説明した（３）の手法を組み合わせることも出来る。この組み合わせによって、透過・反射の両方のモードにおいてフルカラー表示を実現できる。
【０１４９】
その一例を、図１８に示す。図１８において、１８１、１８２、１８３は透過型の表示を行う画素であり、それぞれ青、緑、赤のカラーフィルタが配設されている。１８５は反射型の表示を行う画素であって緑のカラーフィルタが配設されている。１８４、１８６、１８７は反射型の表示を行う画素であって、ＥＣＢ効果に基づく着色現象を利用した色調変化によって赤色および青色表示が出来る。
【０１５０】
また、この画素１８４，１８６，１８７は、マゼンタ色など緑と補色関係にある色のカラーフィルタが配設されているとともに、それぞれ４：２：１の面積比で構成されている。１８８、１８９は反射型の表示を行う画素であって、それぞれ赤、青のカラーフィルタが配設されており、画素１８７とほぼ同じ画素面積となっている。
【０１５１】
これによって、透過型画素１８１，１８２，１８３の青、緑、赤のカラーフィルタによるフルカラー表示、反射型画素１８４〜１８９の画素構成によるフルカラー表示が出来るとともに画素１８４，１８６，１８７がＥＣＢ効果に基づく着色現象を利用した色調変化によって赤色および青色表示する表示法であるために明るいフルカラー反射表示が実現できる。
【０１５２】
このように図１８で示した構成では、反射・透過ともにフルカラーを実現できると同時に、反射・透過表示においてそのカラー表示モードが異なっているために、先に述べたような層間絶縁膜の厚みを大幅に減少させることができることによるメリットを享受することができる。
【０１５３】
なお、図１８の構成を図１９のように配置しなおしてもよい。図１９において１９１、１９２、１９３は透過型表示画素であり、それぞれ青、緑、赤のカラーフィルタが配設されている。１９５は反射型表示画素であって緑のカラーフィルタが配設されている。１９４、１９６、１９７は反射型表示画素であってＥＣＢ効果に基づく着色現象を利用した色調変化によって赤色および青色表示が出来ると共に、マゼンタ色など緑と補色関係にある色のカラーフィルタが配設されているとともに、それぞれ４：２：１の面積比で構成されている。１９８、１９９は反射型表示画素であって、それぞれ赤、青のカラーフィルタが配設されており、反射型表示画素１９７とほぼ同じ画素面積となっている。
【０１５４】
この構成では、図１８とは異なり、反射表示用と透過表示用のそれぞれのカラーフィルタを有する画素が隣接して配置されている。これによって、反射用および透過用の赤、青カラーフィルタとして共通なものを用いる場合に、カラーフィルタの微細パターニング処理の負荷を低減できるなどのメリットが生まれる。また、赤、青カラーフィルタとして反射用と透過用とで異なる分光透過率特性のものを用いる場合にも、若干のアライメントずれが生じたときの表示色への影響を最小化することができる。
【０１５５】
また、図１８、図１９ともに合計９個のサブピクセルはそれぞれ独立に画像情報信号が与えられる構成にしておくことが望ましい。
【０１５６】
ただし、環境照度が低く本発明の半透過型液晶表示素子でバックライトを点灯している場合を考えると、表示情報として視認されるのは透過型画素の画像情報が支配的と考えられること、および反射型に用いている青色、赤色カラーフィルタの面積は画素全体の中では相対的に小さい割合であることから、図１９中の青色画素である１９１と１９９、および赤色画素である１９３と１９８は、不図示の共通電極を介して共通の画像信号を印加するようにしてもよい。
【０１５７】
こうすることで、環境照度が高い場合には反射型画素の画像情報が支配的になるために若干表示品位が低下するのではないかという懸念が生じる。しかし、反射型表示において使用される赤色や青色画素はもともと１画素内での面積比は小さいものであり、画像情報のほとんどが緑カラーフィルタ画素およびＥＣＢ効果による色調変化を利用する画素で決まることから、表示品位の低下はそれほど大きくはないものと考えられる。
【０１５８】
また環境照度が高い場合にはもともとバックライトは消灯させておくのが一般的であることから、バックライトを消灯させている間は反射型画素に対して所望とする情報信号を印加するようにしておけば問題なく表示できる。
【０１５９】
つまり赤色、青色画素に印加する画像情報信号として透過領域と反射領域とに共通の信号を印加する場合には、バックライト点灯時には透過領域に印加すべき情報信号を優先させ、バックライト消灯時には反射領域に印加すべき情報信号を与えるようにすることによって、表示品位の劣化を最小限に留めつつ、これらの画素への印加電圧手段を共通化することができる。
【０１６０】
例えば図１９の構成の表示素子をＴＦＴを用いて駆動する場合には、全画素を独立に駆動しようとすると１画素に対して合計９個のＴＦＴ素子が必要であるのに対して、上記のような共通の情報信号を印加する構成にすることで１画素に対して７個のＴＦＴ素子を配置するだけでよいことになる。
【０１６１】
以上述べたように、本発明のカラー表示モードは透過型でも反射型としても使用することが可能であり、高い光利用効率の素子を実現することが可能となる。また半透過型として使用することも可能であるが、その場合、反射領域では本発明のＥＣＢ効果による着色を主として利用した赤・青表示と、カラーフィルタによる緑表示を用い、透過領域では赤・緑・青ともにカラーフィルタによるカラー表示を行うことにより、半透過型液晶表示素子に求められる要件を全て満足する表示性能を実現できるだけでなく、１画素内に２倍のセル厚差を作りこむ必要がなくなるために、プロセスの簡略化と均一配向と高開口率化を同時に満足させることが可能となる。
【０１６２】
（その他の構成要件）
本発明の液晶表示素子の駆動には、直接駆動方式、単純マトリクス方式、アクティブマトリクス方式のいずれの方式も用いることが出来る。
【０１６３】
また用いる基板はガラスでもよいしプラスチックでもよい。透過型の場合には一対の基板両方とも光透過性のものが必要であるが、反射型の場合には反射層の支持基板として光を透過しないものを用いてもよい。また使用する基板として可撓性を有するものを用いても良い。
【０１６４】
また反射型にする場合には、反射板として鏡面反射板を用い液晶層の外側に散乱板を設けるような、いわゆる前方散乱板方式や、反射面の形状を工夫して指向性を設けたいわゆる指向性反射板など、各種反射板を用いることが出来る。また本実施の形態では一例として垂直配向モードを例示したが、他にも平行配向モード、ＨＡＮ型モード、ＯＣＢモードなど電圧印加によるリタデーション変化を利用するモードであればいずれのモードにも適用することが可能である。
【０１６５】
また、本実施の形態では主として電圧無印加時に黒表示となるようなノーマリブラックの構成を例示して説明した。この構成は円偏光板および電圧無印加時に基板面内方向に複屈折を持たない表示層を積層することによって実現出来るのであるが、この構成において円偏光板を通常の直線偏光板などに置き換えることによって電圧無印加時に白色表示となるようなノーマリホワイトの構成にしてもよい。
【０１６６】
あるいはこれらいずれかの構成に一軸性位相差板などを積層することによって、電圧無印加時に有彩色表示させるような構成にしてもよい。この場合は電圧を印加することによって積層した一軸性位相差板のリタデーション量をキャンセルする方向に液晶分子配列を変形させることで黒や白の表示を得ることができる。
【０１６７】
また本発明の本質は、人間の視感度特性が最も良好な緑表示においてカラーフィルタを用いた連続階調を得ることを基本原理として高い光利用効率にて多色表示を得るということであるから、ＳＴＮモードなどのねじれ配向状態となっている液晶モードやゲストホストモード，選択反射モードなど、様々なモードを適用することが可能である。
【０１６８】
（液晶表示素子以外への適用）
以上の記述では液晶のＥＣＢ効果を中心に詳述してきた。しかしながら本発明の基本となる考え方は、一部の画素ではモノクロ表示モードにカラーフィルタを適用したカラー表示を行うとともに、他の画素では色相変化しうる表示モードを利用する点にある。したがって、上述のＥＣＢ効果を用いた構成に限らず上記表示モードが適用できる素子であればあらゆる表示モードを適用することが可能となる。
【０１６９】
その例として、（１）機械的な変調によって干渉層の空隙距離を変化させるモード、（２）着色粒子を移動させることによって表示・非表示を切り替えるモードについて、以下で説明する。
【０１７０】
（１）は例えばＳＩＤ９７Ｄｉｇｅｓｔ  ｐ．７１に記載のような構成であって、基板との空隙の距離を変化させることによって干渉色の表示・非表示の切り替えを行っている。ここでは変形可能なアルミ薄膜が外部からの電圧制御によって基板に接近したり離れたりすることでオン・オフの切り替えを行っている。またこのときの発色原理は干渉を利用したものであるために、上述した液晶のＥＣＢを利用した干渉による発色とまったく同じ議論が成立する。
【０１７１】
したがって、この空隙距離変調素子においても、電圧などの外部制御可能な変調手段によって光学的性質を変化させることができ、かつ該素子がとりうる最大明度と最小明度との間を前記変調手段によって明度変化させることができる変調領域と、該素子がとりうる複数の色相を前記変調手段によって変化させることができる変調領域とを有していることになる。
【０１７２】
このような素子に対してその単位画素を複数の副画素に分割し、そのうち前記複数の副画素の少なくとも一つは、前記色相変化に基づく変調領域を用いたカラー表示を行う事ができる第１の副画素と、カラーフィルタ層を有した第２の副画素からなることによって、上記詳述した液晶素子と全く同様にして、高い光利用効率などの優れた特性を有する表示素子が実現可能となる。
【０１７３】
（２）は例えば、特開平１１−２０２８０４などに記載の粒子移動型表示素子が好適に利用される。この例は電気泳動特性を利用して、コレクト電極及び表示電極間での電圧印加によって透明な絶縁性液体中で着色帯電泳動粒子を基板面と水平に移動させることによって表示・非表示の切り替えを行うものである。
【０１７４】
またこれを応用し、２種類のカラー粒子を用いる構成としてもよい。つまり、観察者から見て互いにほぼ重畳する位置に配置される２つの表示電極と、２つのコレクト電極と、互いに異なる帯電極性および呈色を示し、少なくとも何れか一方が透光性である２種類の粒子とを備え、該２種類の帯電粒子が全てコレクト電極に集合した状態、又は全て表示電極に配置された状態、又は何れか１方の粒子が表示電極に配置され他方の粒子がコレクト電極に集合した状態、又はこれらの中間状態、を形成可能な駆動手段とを含む単位セルとなるような構成にすることもできる。
【０１７５】
該単位セル中における２種類の泳動粒子色の組み合わせが例えば青と赤である構成を考える。この場合において白表示とする場合には、２種類とも粒子全てがコレクト電極に集合した状態となるよう駆動し、表示電極が全て露出した状態とすればよい。また赤もしくは青の単色表示の場合には、該単位セルにおいて所望の単色粒子のみを表示電極に配置することによって単色を表示すればよい。
【０１７６】
例えば青表示の場合は、青粒子を表示電極に配置し光吸収層を形成し、赤の粒子をコレクタ電極に集めればよい。一方黒表示の場合は、全ての粒子を表示電極に配置し光吸収層を形成することによって、第１電極、第２電極に形成された赤粒子、青粒子のそれぞれの吸収層を通過するため減法混色によって黒色となる。中間調表示の場合は、黒表示時の一部分の粒子だけを表示電極に配置すればよい。これによって、該単位セルは赤・青の有彩色間での色相の変調、および白・黒・中間調の表示による明度の変調を行うことができる。
【０１７７】
よって、こういった構成を使用することによって、単位画素を複数の副画素に分割し、そのうち前記複数の副画素の少なくとも一つは、前記色相変化に基づく変調領域を用いたカラー表示を行う事ができる第１の副画素と、カラーフィルタ層を有した第２の副画素からなることによって、上記詳述した液晶素子と全く同様にして、優れた特性を有する表示素子が実現可能となる。例えばこの構成では最も視感度特性の高い緑色表示において上記の単純な基本構成をとることが出来るために、表示安定性、特に階調表示安定性が高く、多色表示可能でかつ明るい粒子移動型表示素子を得ることが可能となる。
【０１７８】
本発明ではＥＣＢ効果に基づく着色現象を利用する画素をサブピクセルに分割することでデジタル階調を表示可能としている。一方、こうしたサブピクセルに分割しない場合には、表示可能な階調数は明暗の２値のみに限定されるものの、従来のＲＧＢカラーフィルタ方式を用いる場合と比較して１つの画素に必要な副画素数が３つから２つに減らすことが可能となる。
【０１７９】
これにより、ドライバＩＣの数が同一であったときには有効画素数を１．５倍にし、高解像度な表示が得られる。もしくは同一の画素数を得るためには、必要なドライバＩＣ数を減らすことが出来るために、低コストなパネルを得ることが可能となる。なお前記階調数の問題に対しては、ディザなどの画像処理を用いるとよい。これにより若干の粒状感は残存するかもしれないが階調表現可能となる。またこの粒状感は今後画素密度が高精細化するにつれ視認されづらくなるものと考えられる。
【実施例】
【０１８０】
以下、実施例を用いて本発明を詳細に説明する。
【０１８１】
（共通素子構成）
実施例に用いる共通の素子構造として下記のものを用いた。
【０１８２】
液晶層の構造として、基本的な構成は図３に示す構成と同様なものとし、垂直配向処理を施した２枚のガラス基板を重ね合わせセル化し、液晶材料として誘電率異方性Δεが負である液晶材料（メルク社製、型名ＭＬＣ−６６０８）を注入した。なおこのとき実施例に応じてリタデーションが最適となるようにセル厚を変化させた。
【０１８３】
用いる基板構造として、一方の基板にＴＦＴが配置されたアクティブマトリクス基板を用い、もう一方の基板にはカラーフィルタが配置された基板を用いた。このときの画素形状やカラーフィルタ構成は実施例に応じて変化させた。
【０１８４】
ＴＦＴ側の画素電極にはアルミ電極を用い、反射型の構成とした。なおこのとき実施例に応じてＴＦＴ側の画素電極にＩＴＯ電極を用いた透過型の画素を併用した半透過型の構成も用いた。
【０１８５】
また上基板（カラーフィルタ基板）と偏光板との間には位相補償板として広帯域λ／４板（可視光領域で１／４波長条件をほぼ満たすことができる位相補償板）を配置した。これにより反射型での表示の際に電圧無印加時には暗状態となり、電圧印加時には明状態となるようなノーマリブラック構成とした。
【０１８６】
（比較例）
比較のために，対角１２インチ、画素数６００×８００のＥＣＢ型アクティブマトリクス液晶表示パネルを用いた。この画素ピッチは約３００μｍである。各画素は３分割されて、それぞれに赤・緑・青のカラーフィルタが配置されている。液晶層は、±５Ｖ電圧印加時の反射分光特性の中心波長が５５０ｎｍ、及びリタデーション量が１３８ｎｍとなるよう、厚さを３ミクロンに調整した。
【０１８７】
セル構造は図３に示されたものと同じである。電極４，６の表面に垂直配向膜（不図示）を塗布し，電圧印加時の液晶分子の傾斜方向が偏光板１の吸収軸に対して４５度となるように、垂直配向膜には基板法線から１度程度のプレチルト角をその方向に付与した。上下の基板３と７を張り合わせてセルを作り、液晶材料として誘電率異方性Δεが負である液晶材料（メルク社製、型名ＭＬＣ−６６０８）を注入したところ、電圧を印加しないときは液晶５が基板表面に垂直に配向した。
【０１８８】
このような液晶表示素子について、電圧を様々に変化させることによって画像を表示させたところ、ＲＧＢそれぞれの画素について印加電圧に応じた連続階調色が得られ、それによってフルカラー表示可能であるが、反射率は、１６％であった。
【０１８９】
（実施例１）
アクティブマトリクス基板として、上記比較例と同じ対角１２インチ、画素数６００×８００のアクティブマトリクス基板を用いる。
【０１９０】
各画素は３つの副画素に分割され，カラーフィルタとしては緑だけを用いて、残る副画素である２つの画素はリタデーションによる着色表示を利用するためにカラーフィルタを配さず透明のままとする。またこの残る２画素については、面積階調を行うために、面積比を１：２とした。
【０１９１】
液晶層のリタデーションは、反射型なので図１の半分の値であればよい。赤表示と青表示ができるように、透明画素の±５Ｖ電圧印加時のリタデーション量が３００ｎｍとなるよう、セル厚を５ミクロンに調整した。緑画素の条件については比較例と同様とした。
【０１９２】
このような液晶表示素子について、電圧を変化させることによって画像を表示させると、緑のカラーフィルタを有する画素に関しては、印加電圧値に応じた透過率変化を示し連続階調特性が得られる。
【０１９３】
一方緑のカラーフィルタを有さない他の画素に関しては、５Ｖ印加時には青色、３．８Ｖ印加時には赤色表示となり、したがって本実施例の液晶パネルが三原色表示である。さらに３Ｖ以下の領域では印加電圧の大きさに応じた連続階調を表示する。
【０１９４】
さらに赤と青に関しては、表示させる副画素を変化させることによって面積階調が実現できる。しかしながら、その階調量が４階調しかないために自然画を表示させた際に若干ざらつき感の残る画像となっていた。
【０１９５】
なおこの素子の反射率は３３％であり、比較例と比較して２倍の値となり、かなり明るい白表示である。
【０１９６】
（実施例２）
アクティブマトリクス基板として、画素数６００×８００で、対角７インチと対角３．５インチの基板を用い、実施例１と同じ副画素構成のＥＣＢ型液晶表示素子を作製した。画素ピッチは対角７インチの方が、約１８０μｍ、対角３インチの方が、約９０μｍであった。
【０１９７】
この場合も、カラー表示能については実施例１と同様に良好な特性が得られる。さらに本実施例では画素ピッチがかなり細かくなり、高精細化したことによって自然画を表示させた場合でも目視では全くざらつき感を感じない連続階調を表現できる。
【０１９８】
またこの素子の反射率は３３％であり、比較例と比較してかなり明るい白表示となる。
【０１９９】
（実施例３）
実施例２と同じ基板で，透明画素のかわりに、図５に示す透過分光特性を示すカラーフィルタ（富士フィルムアーチ社製、型名ＣＭ−Ｓ５７１）を設けた画素構造を採用した。
【０２００】
ＥＣＢ効果に基づく着色現象を利用した場合、リタデーション色特有の色純度の低さが問題となるが、緑と補色関係にあるカラーフィルタと組み合わせた場合、赤と青の発色スペクトルのテール部分をカットできるので、色純度が増す効果が有る。この素子の、緑と補色関係にあるカラーフィルタを設けた画素に対して電圧を印加したときに実施例１と同様に、５Ｖ印加時には青色、３．８Ｖ印加時には赤色表示となり、本実施例の液晶パネルが三原色表示可能であることが確認できる。
【０２０１】
さらに３Ｖ以下の領域では印加電圧の大きさに応じたマゼンタの連続階調表示ができる。また実施例２と同様に自然画を表示させた場合でも、目視では全くざらつき感を感じない連続階調を表現できる。
【０２０２】
またこの素子の反射率は２８％であり、実施例２と比較すると若干劣るものの、比較例と比較するとかなり明るい白表示となる。またこの実施例におけるカラー表示では、色度座標上において実施例２と比べて大きく色再現範囲が広がっている。
【０２０３】
（実施例４）
実施例２の構成とセル厚以外を同じ構成とした液晶セルを用いた。このとき、マスクラビングを用いてプレチルト角を変化させ、異なるダイレクタ方向を持つ２つの配向領域を形成し、またそのセル厚は透明画素、緑画素ともに５ミクロンとした。
【０２０４】
このときも、表示品質は実施例３と同様に明るい表示と滑らかな階調性が得られる。また広い視野角特性が得られている。ただし、緑画素のギャップが厚くなったために、応答速度が遅くなってしまい、動画表示時の表示ボケが多く感じられた。これによりカラーフィルタを用いる緑画素のセル厚を、レタデーションを用いる画素のギャップよりも薄くした方が、動画表示特性が良くなることがわかる。
【０２０５】
（実施例５）
下基板として反射板のないガラス板を用い，実施例１と同じアクティブマトリクス基板を作って液晶表示パネルを作成した。
【０２０６】
電極は，６００本の行ライン（走査ライン）のうち、奇数行目をアルミ電極とし、３つのサブピクセルを緑カラーフィルタを有するサブピクセルとカラーフィルタを有さない２つのサブピクセルとに割り当て、カラーフィルタを有さない２つのサブピクセルの面積比を１：２とする。
【０２０７】
一方、偶数行目はＩＴＯによる透明電極とし、３つのサブピクセルの面積は同一とする。またこの３つサブピクセルには赤・緑・青のカラーフィルタを配設した。この画素構成の略図を図８に示す。同図において、８４〜８６は奇数行目の反射モード用画素、８１〜８３は偶数行目の透過モード用画素、８７、８８がそれぞれソースラインとゲートライン、８９が薄膜トランジスタによるスイッチング素子である。なお、パネルの背面には、上基板に配置した偏光板とクロスニコルの関係になるように偏光板を配設し、さらにその背面にはバックライトを配置し点灯させた。
【０２０８】
こうした構成のパネルに画像を表示させると、前述の実施例で確認された反射モードの特性と、通常の液晶パネルと同等の表示品位を持つ透過モードの特性を両立しうる。つまり、全画素が同一のセル厚に設定した場合においても、高い反射率を有する反射モードと、良好な色再現性能を有する透過モードを両立した半透過型液晶表示素子を実現できる。
【０２０９】
（実施例６）
実施例５と同様の基板を用い、実施例５において面積比を１：２としたカラーフィルタを有さなかった２つの副画素上には、図５に示す分光特性を持つマゼンタ色のカラーフィルタを配置した以外は、実施例５と同じ構成の液晶表示素子を形成する。これによって、反射モードにおいても赤と青のリタデーションの色純度が向上し、色再現範囲が広がった半透過型液晶表示素子を実現する。
【０２１０】
（実施例７）
アクティブマトリクス基板として、上記比較例と同じ基板を用いる。このとき比較例では３画素１組で６００×８００画素（ＳＶＧＡ）の表示としていたが、本実施例では４つの副画素を１組として６００×６００画素の表示とする。
【０２１１】
カラーフィルタとしては緑だけを用いて、残る副画素である３つの画素にはリタデーションによる着色表示を利用するために透明とする。またこの残る３画素については、面積階調を行うために、面積比を１：２：４とした。
【０２１２】
液晶層のリタデーションについては、赤表示と青表示ができるように、透明画素の±５Ｖ電圧印加時のリタデーション量が３００ｎｍとなるよう、セル厚を５ミクロンに調整した。緑画素の条件については実施例１と同様とした。
【０２１３】
このような液晶素子について、電圧を変化させることによって画像を表示させると、緑のカラーフィルタを有する画素に関しては、印加電圧値に応じた透過率変化を示しており、完全な連続階調特性が得られる。
【０２１４】
一方緑のカラーフィルタを有さない他の画素に関しては、５Ｖ印加時には青色、３．８Ｖ印加時には赤色表示となり、本実施例の液晶パネルが三原色表示可能であることを確認できる。３Ｖ以下の領域では印加電圧の大きさに応じて連続的に明度（階調）変化している。
【０２１５】
赤と青に関しては、表示させる副画素を変化させることによって面積階調が実現できる。また赤と青の階調量が８階調となったことから、実施例１と比較して表示のざらつき感は大幅に緩和される。なおこの素子の反射率は３３％であり、比較例と比較して２倍の値となり、かなり明るい白表示が得られる。
【０２１６】
（実施例８）
実施例７の素子を用いて評価を行った。このとき緑のカラーフィルタを有さない他の画素に対して印加する電圧を、３Ｖから５Ｖまで連続的に変化させた。その結果、黄色（約３．２Ｖ）→オレンジ（約３．６Ｖ）→赤（約３．８Ｖ）→赤紫（４．０Ｖ）→紫（４．４Ｖ）→青紫（４．６Ｖ）→青（５．０Ｖ）と連続的に変化する様子が確認できた。また、それぞれの色を表示する電圧印加条件にて、表示させる副画素を適宜変化させることによって、さまざまな表示色が８階調有する。
【０２１７】
（実施例９）
実施例７とカラーフィルタ以外を同様の構成とした液晶表示素子を用いた。このときカラーフィルタとしては実施例７における透明画素のかわりに、実施例３に用いたものと同様のマゼンタ色のカラーフィルタ（富士フィルムアーチ社製、型名ＣＭ−Ｓ５７１）を設けた画素構造を採用する。このマゼンタカラーフィルタ画素については、面積階調を行うために、面積比を１：２：４とした。
【０２１８】
この場合も、実施例３と同様に５Ｖ印加時には青色、３．８Ｖ印加時には赤色表示となり、本実施例の液晶パネルが三原色表示可能である。３Ｖ以下の領域では印加電圧の大きさに応じたマゼンタの連続階調表示ができる。すなわち既述した図１４で述べたＲＢ平面において、矢印線上の任意の表示色が表示されている。
【０２１９】
（実施例１０）
アクティブマトリクス基板として、上記実施例７と同じ基板を用いた。ただし、実施例７では４画素１組で６００×６００画素の表示としていたが、本実施例では６つの副画素を１組として６００×４００画素の表示とする。
【０２２０】
この６つの副画素のうち４つは、うちひとつに緑のカラーフィルタ、他の３つに緑と補色関係にあるマゼンタカラーフィルタを配置し、後者は１：２：４の面積比とした。残りの２画素にはそれぞれ赤と青のカラーフィルタを設ける。これら赤と青のカラーフィルタの面積は、３つあるマゼンタカラーフィルタのうちの最小画素と同一の面積とした。また緑画素の面積は６副画素の合計面積の３分の１になるように調整する。
【０２２１】
このときの画素構成を図２０に示す。同図において、２０２は緑カラーフィルタ画素、２０１、２０３、２０４はそれぞれ面積分割されたマゼンタカラーフィルタ画素、２０５は赤カラーフィルタ画素、２０６は青カラーフィルタ画素である。
【０２２２】
この構成を用いることによって、３Ｖ以下の領域でのマゼンタの連続階調、ＥＣＢ効果に基づく着色現象と面積分割との組み合わせによる赤および青の８階調、そしてそれを補間する赤および青の連続階調ができる。またこれらを組み合わせることによって、ＲＢ平面の全てを埋め尽くすことが可能である。さらにこれと緑の連続階調表示とを組み合わせることによって、完全なフルカラーが実現できる。
【０２２３】
またこのときの反射率は２５％と実施例８と比較すると若干劣るものの、比較例と比較するとかなり明るい白表示が得られていた。またこの実施例におけるカラー表示においても、マゼンタカラーフィルタの効果によって色度座標上において実施例２と比べて大きく色再現範囲が広がっている。
【０２２４】
（実施例１１）
アクティブマトリクス基板として、上記実施例７と同じ基板を用いた。実施例１０では６画素１組で６００×４００画素の表示としていたが、本実施例では８つの副画素を１組として４５０×４００画素の表示とする。
【０２２５】
この８つの副画素のうち３つは、それぞれ緑、赤、青のカラーフィルタを設けた。残りの５つには緑と補色関係にあるマゼンタカラーフィルタを用い、１：２：４：８：１６の面積比にした。このとき、赤と青のカラーフィルタの面積は、５つあるマゼンタカラーフィルタのうちの最小画素と同一の面積とする。また緑画素の面積は８副画素の合計面積の３分の１になるように調整する。
【０２２６】
この構成を用いることによって、３Ｖ以下の領域でのマゼンタの連続階調、ＥＣＢ効果に基づく着色現象と面積分割との組み合わせによる赤および青の３２階調、そしてそれを補間する赤および青の連続階調ができる。またこれらを組み合わせることによって、ＲＢ平面の全てを埋め尽くすことが可能である。さらにこれと緑の連続階調表示とを組み合わせることによって、完全なフルカラーが実現できる。
【０２２７】
またこのときの反射率は２７％と実施例８と比較すると若干劣るものの、実施例１１と比較すると明るい白表示が得られており、赤と青のカラーフィルタ面積を相対的に減らすことによって、これらカラーフィルタによる光損失を最小限に抑えることができる。
【０２２８】
（実施例１２）
アクティブマトリクス基板として、上記実施例１０と同様に６つの副画素を１組として６００×４００画素の表示とする。
【０２２９】
この６つの副画素のうち、ひとつを緑のカラーフィルタ、４つを緑と補色関係にあるマゼンタカラーフィルタを用い、１：２：４：８の面積比にて画素分割する。残りの１画素には赤のカラーフィルタを設ける。この赤のカラーフィルタの面積は、４つあるマゼンタカラーフィルタのうちの最小画素と同一の面積とする。また緑画素の面積は６副画素の合計面積の３分の１になるように調整する。
【０２３０】
このときの画素構成を図２１に示す。同図において、２１２は緑カラーフィルタ画素、２１１、２１３、２１４、２１５はそれぞれ面積分割されたマゼンタカラーフィルタ画素、２１６は赤カラーフィルタ画素である。
【０２３１】
この構成を用いることによって、３Ｖ以下の領域でのマゼンタの連続階調、ＥＣＢ効果に基づく着色現象と面積分割との組み合わせによる赤および青の１６階調、そしてそれを補間する赤の連続階調ができる。またこれらを組み合わせることによって、ＲＢ平面上に一部欠落はあるものの、実施の形態中で説明したようにほとんど全てを埋め尽くすことが可能である。さらにこれと緑の連続階調表示とを組み合わせることによって、一部不連続はあるもののほぼ完全に自然画を再現できる。
【０２３２】
またこのときの反射率は２７％と実施例７と比較すると若干劣るものの、比較例と比較するとかなり明るい白表示が得られる。またこの実施例におけるカラー表示においても、マゼンタカラーフィルタの効果によって色度座標上において実施例２と比べて大きく色再現範囲が広がっている。
【０２３３】
（実施例１３）
実施例１２の素子を用いて、既述した図１５で説明した手法を用いて、黒基準位置をずらして表示させると、コントラストは若干低下するものの、白の反射率は実施例１２と同等のものが得られ、かつフルカラー表示できる。
【０２３４】
（実施例１４）
アクティブマトリクス基板として、上記実施例７と同じ基板を用いた。このとき実施例１１では６画素１組で６００×４００画素の表示としていたが、本実施例では既述した図１８と同様の構成となるように、９画素を１組とした４００×４００画素の表示とする。このときセル厚は全ての画素で５ミクロンに統一する。また９画素中６画素にはアルミの反射電極を用い、画素構成は実施例１０と同一とした。残りの３画素は上下基板ともにＩＴＯ電極を用いて光透過性の画素とした。
【０２３５】
パネルの背面には、上基板に配置した偏光板とクロスニコルの関係になるように偏光板を配設し、さらにその背面にはバックライトを配置し点灯させる。
【０２３６】
こうした構成のパネルにそれぞれの画素に独立に所望の電圧を印加して画像を表示させると、前述の実施例における反射モードの特性と、通常の液晶パネルと同等の表示品位を持つ透過モードの特性を両立しうる。
【０２３７】
これにより、全画素が同一のセル厚に設定した場合においても、本構成を用いることによって高い反射率を有するフルカラー反射モードと、良好な色再現性能を有する透過モードを両立した半透過型液晶表示素子を実現できる。
【０２３８】
（実施例１５）
実施例１４の素子を用いて評価を行った。このとき、既述した図１８で述べた１８１と１８９、１８３と１８８に対して全く同じ電圧を印加する。このとき反射型表示に最適な画像情報信号電圧の印加条件をＣ（Ｒ）、透過型表示に最適な画像情報信号電圧の印加条件をＣ（Ｔ）として、環境照度の異なる場所にて画像の評価を行った。
まず暗所にてバックライトを点灯させながら画像表示させると、Ｃ（Ｒ）条件の画像では本来表示させるべき画像が得られないのに対し、Ｃ（Ｔ）条件では所望の画像が表示される。
【０２３９】
暗所にてバックライトを消灯させる場合は、いずれの条件でも画像が暗く評価することができないが、屋外の明所にてバックライトを点灯させながら画像表示さると、Ｃ（Ｒ）条件では所望の画像が表示され、一方Ｃ（Ｔ）条件でも、微妙に違和感はあるものの、ほぼ所望の画像が表示される。
【０２４０】
屋外の明所にてバックライトを消灯させて画像表示させるときＣ（Ｒ）条件では所望の画像が表示され、一方Ｃ（Ｔ）条件でも、微妙に違和感はあるものの、ほぼ所望の画像が表示される。
【０２４１】
以上から、微妙な違和感はあるものの総じてバックライト点灯時にはＣ（Ｔ）の電圧印加条件、バックライト消灯時にはＣ（Ｒ）の電圧印加条件にて画像表示させればよい。また、明所ではバックライトを消灯させるのが一般的なので、明所にてバックライトを消灯させるように設定すれば、常に所望の画像が得られることがわかる。
【０２４２】
また、これによって１８１と１８９、１８３と１８８に対して全く同じ電圧を印加すれば実用は十分な特性が得られることから、本構成にて必要なＴＦＴ数を１画素あたり９個から７個に減らせることがわかる。
【０２４３】
以上述べたように、本実施例によって明るい反射型液晶表示素子や半透過型液晶表示素子を実現可能となる。なお、本実施例中では直視型の反射型液晶表示素子および直視型の半透過型液晶表示素子を中心に述べたが、これを直視型の透過型液晶表示素子や投射型の液晶表示素子、拡大光学系を用いたビューファインダなど液晶表示素子に応用することができる。
【０２４４】
さらに本実施例では駆動基板としてＴＦＴを用いているが、その替わりにＭＩＭを用いたり、半導体基板上に形成したスイッチング素子を用いるといった基板構成の変更や、単純マトリクス駆動やプラズマアドレッシング駆動にしたりといった駆動方法の変形は自明になしえる。
【０２４５】
また本実施例では垂直配向モードを中心に述べたが、既述したように平行配向モード、ＨＡＮ型モード、ＯＣＢモードなど電圧印加によるリタデーション変化を利用するモードであればいずれのモードにも適用することが可能である。またＳＴＮモードなどのねじれ配向状態となっている液晶モードにも適用することが可能である。
【０２４６】
また、ＥＣＢ効果を有する液晶素子の替わりに機械的な変調によって干渉層の媒体としての空気の厚さである空隙距離を変化させるモードを用いる場合でも本実施例と同様の効果が得られる。また、表示装置として、実施の形態中で述べた構成に基づく媒体である複数の粒子を電圧印加によって移動させる粒子移動型表示素子を用いる場合でも本実施例と同様の効果が得られる。
【図面の簡単な説明】
【０２４７】
【図１】リタデーション量が変化したときの色度図上の変化を表す図。
【図２】本発明の実施の形態に係る液晶表示素子の１画素の画素構造を表す図。
【図３】本発明の液晶表示素子に用いる層構成の説明図。
【図４】本発明の液晶表示素子の配向分割の説明図。
【図５】本発明の液晶表示素子に用いたマゼンタカラーフィルタの分光スペクトルを示す図。
【図６】本発明の液晶表示素子の他の画素構成を示す図。
【図７】本発明の液晶表示素子の他の画素構成を示す図。
【図８】本発明の液晶表示素子の他の画素構成を示す図。
【図９】本発明の液晶表示素子においてリタデーション量が変化したときの色度図上の変化を表す図。
【図１０】本発明の液晶表示素子において、緑色と補色関係にあるカラーフィルタを設けた場合におけるリタデーション量が変化したときの色度図上の変化を表す図。
【図１１】本発明の液晶表示素子におけるフルカラーの表示範囲を表す概念図。
【図１２】本発明の液晶表示素子において表現できる赤・青平面上での表示色を説明する図。
【図１３】本発明の液晶表示素子の他の構成において表現できる赤・青平面上での表示色を説明する図。
【図１４】本発明の液晶表示素子の他の構成において表現できる赤・青平面上での表示色を説明する図。
【図１５】本発明の液晶表示素子の他の構成において表現できる赤・青平面上での表示色を説明する図。
【図１６】本発明の液晶表示素子の他の構成において表現できる赤・青平面上での表示色を説明する図。
【図１７】本発明の液晶表示素子の他の構成において表現できる赤・青平面上での表示色を説明する図。
【図１８】本発明の液晶表示素子の一例である半透過型液晶表示素子の画素構成を示す図。
【図１９】本発明の液晶表示素子の一例である半透過型液晶表示素子の他の画素構成を示す図。
【図２０】本発明の液晶表示素子の一例である半透過型液晶表示素子の他の画素構成を示す図。
【図２１】本発明の液晶表示素子の一例である半透過型液晶表示素子の他の画素構成を示す図。
【符号の説明】
【０２４８】
１          偏光板
２          位相補償フィルム
３          ガラス
４          透明電極
５          液晶
６          透明電極
７          反射板
８          偏光軸
９          位相補償フィルムの光軸
１０        液晶分子
１１        液晶分子の回転面
５０        画素
５１        副画素１
５２        副画素２
６１〜６３  透明電極
６４〜６６  反射電極
７１〜７８  サブピクセル
８１〜８３  透過モード用画素
８４〜８６  反射モード用画素
８９        スイッチング素子
１８１〜１８３  透過型の表示を行う画素
１８４〜１８９  反射型の表示を行う画素
１９１〜１９３  透過型表示画素
１９４〜１９９  反射型表示画素
ｄ１         副画素１におけるセル厚
ｄ２         副画素２におけるセル厚
【図１】
2004258616.tif 000003
【図２】
2004258616.tif 000004
【図３】
2004258616.tif 000005
【図４】
2004258616.tif 000006
【図５】
2004258616.tif 000007
【図６】
2004258616.tif 000008
【図７】
2004258616.tif 000009
【図８】
2004258616.tif 000010
【図９】
2004258616.tif 000011
【図１０】
2004258616.tif 000012
【図１１】
2004258616.tif 000013
【図１２】
2004258616.tif 000014
【図１３】
2004258616.tif 000015
【図１４】
2004258616.tif 000016
【図１５】
2004258616.tif 000017
【図１６】
2004258616.tif 000018
【図１７】
2004258616.tif 000019
【図１８】
2004258616.tif 000020
【図１９】
2004258616.tif 000021
【図２０】
2004258616.tif 000022
【図２１】
2004258616.tif 000023